(57)【要約】【課題】ドライバー等の工具をキーシリンダに差し込んで、不正にドアを解錠する手口に対しても車両の防盗性を確保することができる車両用ドアのロック構造を提供する。【解決手段】キー操作によって、キーシリンダ２７を介して回動する連結ロッド２９と、該連結ロッド２９の先端に形成された係合部３３が収容される収容凹部６３を有し、前記係合部３３に係止されて回動するロック装置の回動部材４１とを備え、前記連結ロッド２９に、所定値以上の荷重が入力されたときに連結ロッド２９が折損する脆弱部３５を設けると共に、前記回動部材４１に、前記連結ロッド２９の係合部３３を保持する折り返し部５７を設けたことを特徴とする。【選択図】図２
2008240451.tif 000002
【特許請求の範囲】
【請求項１】
キー操作によって、キーシリンダを介して回動する連結ロッドと、
該連結ロッドの先端に形成された係合部が収容される収容凹部を有し、前記係合部に係止されて回動する回動部材を有するロック装置とを備え、
前記連結ロッドに、所定値以上の荷重が入力されたときに連結ロッドが折損する脆弱部を設けると共に、前記回動部材又はその周縁部に、前記連結ロッドの係合部を保持する係合保持部を設けたことを特徴とする車両用ドアのロック構造。
【請求項２】
前記係合保持部は、前記連結ロッドの係合部を保持する、弾性変形が可能な折り返し部であることを特徴とする請求項１に記載の車両用ドアのロック構造。
【請求項３】
前記回動部材を回動可能に保持するケーシングを更に備え、該ケーシング及び前記回動部材を貫通して、前記連結ロッドの係合部に至る挿通孔を形成したことを特徴とする請求項１又は２に記載の車両用ドアのロック構造。
【請求項４】
前記連結ロッドにおける前記脆弱部よりも係止部側に、その径方向に広がって前記回転部材を覆うフランジを形成したことを特徴とする請求項１〜３のいずれか１項に記載の車両用ドアのロック構造。
【発明の詳細な説明】
【技術分野】
【０００１】
本発明は、車両用ドアのロック構造に関する。
【背景技術】
【０００２】
一般的に、自動車等の車両には、ドアにアウトサイドハンドルが設けられており、該アウトサイドハンドルを引くことによってドアを開状態にすることができる。
【０００３】
また、ドアの内方には、ラッチとラチェットを有するラッチ機構が設けられており、該ラッチ機構のラッチが車体側のストライカに係止されることにより、ドアが閉止される。そして、ラチェットによってラッチとストライカとの係止状態を保持することにより、車体側に対してドアを閉止状態に維持するように構成してある。
【０００４】
ここで、アウトサイドハンドル近傍には、キーシリンダ及び該キーシリンダに接続された連結ロッドが配設されている。キー溝にキーを差し込んでキー操作を行うことによって、キーシリンダ及び連結ロッドが回動する。該連結ロッドを回動させると、ロック装置が作動して、ラッチに対するラチェットの係合状態を解除するように構成されている（例えば、特許文献１参照）。
【特許文献１】特開２００５−２８２０９５号公報
【発明の開示】
【発明が解決しようとする課題】
【０００５】
しかしながら、前述した従来技術においては、悪意を持つ者がドライバー等の工具を不正にキーシリンダーに差し込むことにより、キーシリンダーの軸方向に沿って所定値以上の荷重が入力された場合、操作入力手段が移動してハウジングの主ケースから外れるように構成されている。この場合、前記工具を用い、前記連結ロッドの挿入孔を介して従動レバーを回動させることにより、ロックが解錠させられるおそれがあった。
【０００６】
そこで、本発明は、ドライバー等の工具をキーシリンダーに差し込んで、不正にドアを解錠する手口に対しても車両の防盗性を確保することができる車両用ドアのロック構造を提供するものである。
【課題を解決するための手段】
【０００７】
本発明に係る車両用ドアのロック構造は、キー操作によって、キーシリンダを介して回動する連結ロッドと、該連結ロッドの先端に形成された係合部が収容される収容凹部を有し、前記係合部に係止されて回動する回動部材を有するロック装置とを備え、前記連結ロッドに、所定値以上の荷重が入力されたときに連結ロッドが折損する脆弱部を設けると共に、前記回動部材又はその周縁部に、前記連結ロッドの係合部を保持する係合保持部を設けたことを最も主要な特徴としている。
【発明の効果】
【０００８】
本発明に係る車両用ドアのロック構造によれば、キーシリンダーにドライバー等の工具を差し込んで不正にドアのロックを解錠しようとしても、連結ロッドが脆弱部を起点として折損し回動部材に設けられた係合保持部により係合部を保持するので、ロック装置の回動部材を回動させることができない。従って、ドライバー等の工具をキーシリンダーに差し込んで不正にドアを解錠する手口に対しても、車両の防盗性を確保することができる。
【発明を実施するための最良の形態】
【０００９】
以下、本発明の実施形態を図面と共に詳述する。
【００１０】
[第１実施形態]
まず、本発明の第１の実施形態について説明する。
【００１１】
図１は本発明の第１実施形態における車両用ドアのロック構造を示す概略図である。
【００１２】
車幅方向外側には、上下方向及び車両前後方向に沿ってドアアウターパネル１が配設されており、該ドアアウターパネル１の上端部には、アウトサイドハンドル３が車幅方向に開閉可能に取り付けられている。
【００１３】
また、ドアアウターパネル１と図外のドアインナーパネルとの間には、主ケース５及び副ケース７からなるケーシング９が設けられている。該ケーシング９には、ラッチ機構収容部１３とロック機構収容部２１とが設けられている。
【００１４】
ラッチ機構収容部１３には、ラッチ機構１１が収容されている。該ラッチ機構１１は、車体側に設けたストライカ１５に係止可能であり、ラッチ１７及びラチェット１９を備えている。ラッチ１７及びラチェット１９は、それぞれ回動軸１７ａ，１９ａを中心に回動可能であり、ストライカ１５にラッチ１７の切欠き１７ｂが係止するように構成されている。また、ラチェット１９はラッチ１７に係合可能である。
【００１５】
ロック機構収容部２１には、オープンレバー２３及び図外のロック機構が設けられている。このオープンレバー２３は、中央部に回動軸２３ａが設けられ、車幅方向外側の端部が作用端部２３ｂに形成され、車幅方向内側の端部が動作端部２３ｃに形成されている。
【００１６】
前記アウトサイドハンドル３は、下方に延びる連結部材２５を介してオープンレバー２３の作用端部２３ｂに接続されている。アウトサイドハンドル３を操作することにより、連結部材２５を介してオープンレバー２３に荷重がかかり、該オープンレバー２３が回動軸２３ａを中心に回動する。
【００１７】
一方、アウトサイドハンドル３の車幅方向内側、即ちドアアウターパネル１とドアインナーパネルとの間には、キーシリンダ２７及び連結ロッド２９が配設されている。
【００１８】
該キーシリンダ２７は、連結ロッド２９に接続されており、キーシリンダ２７を回動させることにより連結ロッド２９も一体になって回動する。
【００１９】
図２は図１のドアロック装置を拡大した断面図である。
【００２０】
前記連結ロッド２９は、キーシリンダ２７から延びる本体部３１と、該本体部３１の車幅方向内側の先端に設けた係合部３３とから一体に形成されている。係合部３３のうち、本体部３１との境界部分には、本体部３１よりも径が細い脆弱部３５が形成されている。なお、本体部３１と軸部３９とは、ほぼ同一径に形成されている。また、脆弱部３５の車幅方向内側には、円盤状のフランジ３７が形成されている。該フランジ３７は、係合部３３の軸部３９の外周から径方向外側に延びており、ロック装置を構成する回動部材４１の車幅方向外側を覆うように配設されている。そして、係合部３３の軸部３９の先端には、径方向外側に延びるリブ４３が周方向に所定間隔をおいて複数配設されている。
【００２１】
また、前記主ケース５の上端部には、略円筒状の保護部４５が車幅方向外側に突設しており、該保護部４５の内方には、収容穴４７が形成されている。該収容穴４７内には、ロック装置の一部である回動部材４１が回転可能に保持されている。該回動部材４１は、略有底円筒状に形成されており、底部４９の車幅方向内側には、支持穴５１が形成されている。該支持穴５１は、副ケース７側に設けた支持軸５３に嵌合されており、該支持軸５３を中心に回動部材４１は回動可能に保持されている。さらに、回動部材４１の底部４９から車幅方向外側に向けて筒部５５が延設されており、該筒部５５の先端に、径方向内側に向けて斜めに屈曲する折り返し部（係合保持部）５７が形成されている。該折り返し部５７は、筒部５５の全周に亘って形成されており、弾性変形可能に形成されている。ここで、係合保持部は、連結ロッド２９が折損した場合に係合部３３を保持する。係合保持部として、本実施形態では、弾性変形可能な折り返し部５７を示したが、これに限定されない。なお、筒部５５の内周側には、径方向内側に向けて係止片５９が突設している。該係止片５９は、筒部５５の周方向に沿って複数設けられており、前記連結ロッド２９の係合部３３に形成したリブ４３に係止可能に構成されている。そして、回動部材４１の内方には、収容凹部６３が形成されており、該収容凹部６３内には、連結ロッド２９の係合部３３が収容配置されている。
【００２２】
前記構成を有するドアロック装置の作動要領を簡単に説明する。
【００２３】
まず、図１に示すように、アウトサイドハンドル３を車幅方向外側に引くと、該アウトサイドハンドル３に連結した連結部材２５を介してオープンレバー２３が回動軸２３ａを中心に回動し、ラチェット１９も回動軸１９ａを中心に回動する。このラチェット１９は、ラッチ１７に係合しているため、ラチェット１９の回動に伴ってラッチ１７も回動し、ラッチ１７の切欠き１７ｂがストライカ１５から外れる。これによって、ドアを開動させることができる。
【００２４】
次いで、ドアを閉止させると、前記ストライカ１５にラッチ１７の切欠き１７ｂが係合する。この状態で、アウトサイドハンドル３の近傍に設けたキー溝にキーを差し込んで回動させると、キーシリンダ２７及び連結ロッド２９が回動する。該連結ロッド２９の先端の係合部３３にはリブ４３が設けられているため、該リブ４３がロック装置の回動部材４１に形成した係止片５９に係合して回動部材４１を回動させると、アウトサイドハンドル３を操作してもラッチ１７が回動せず、ドアが開動することがない。
【００２５】
ここで、図２に示す状態において、悪意のある者がドライバー等の工具をキー溝からキーシリンダ２７に挿入させてキーシリンダ２７を回動させようとすると、図３に示すように、連結ロッド２９に所定値以上の荷重Ｆが入力される。すると、脆弱部３５を起点として連結ロッド２９が折損するため、ロック装置の回動部材４１に回動駆動力が伝達されず、回動部材４１が回動しない。従って、ラッチ１７とラチェット１９との係合を解除することができず、車両の防盗性を確保することができる。
【００２６】
以下に、本発明の実施形態による作用効果について説明する。
【００２７】
（１）本実施形態においては、前記連結ロッド２９に、所定値以上の荷重が入力されたときに連結ロッド２９が折損する脆弱部３５を設けると共に、前記回動部材４１に、前記連結ロッド２９の係合部３３を保持する折り返し部５７を設けている。
【００２８】
従って、キーシリンダ２７にドライバー等の工具を差し込んで不正にドアのロックを解錠しようとしても、連結ロッド２９が脆弱部３５を起点として折損するため、ロック装置の回動部材４１を回動させることができない。従って、ドライバー等の工具をキーシリンダ２７に差し込んで不正にドアを解錠する手口に対しても、車両の防盗性を確保することができる。
【００２９】
また、ロック装置の回動部材４１に折り返し部５７を形成したため、この折り返し部５７によって、前記折損した連結ロッド２９の係合部３３を確実に保持することができる。従って、連結ロッド２９が折損したのちも係合部３３が工具の侵入を妨げるため、工具を用いたロックの不正解除を阻止することができる。
【００３０】
（２）前記連結ロッド２９における前記脆弱部３５よりも係止部側に、その径方向に広がって前記回転部材を覆うフランジ３７を形成している。従って、工具をロック装置に侵入させようとしても、前記フランジ３７によって工具の侵入を阻止するため、ロックの不正解除を確実に阻止することができる。
【００３１】
［第２実施形態］
以下に、本発明の第２実施形態について説明する。ただし、前記第１実施形態と同一構成部位には、同一符号を付して重複した記載を省略する。
【００３２】
図４は、本実施形態によるドアロック装置の要部を拡大した断面図である。
【００３３】
ロック装置の回動部材４１は、図４に示すように、主ケース５の上端部に形成した収容穴４７内に回動可能な状態で保持されている。
【００３４】
本実施形態においては、副ケース７及び主ケース５の上端部と、回動部材４１における底部４９の径方向中心部とを車幅方向に貫通する挿通孔６１が形成されている。この挿通孔６１の径は、例えば工具や針金等が挿通可能な大きさに設定している。
【００３５】
以下に、本発明の第２実施形態による作用効果を説明する。
【００３６】
本実施形態においては、前記回動部材４１を回動可能に保持するケーシング９を備え、該ケーシング９及び前記回動部材４１を貫通して、前記連結ロッド２９の係合部３３に至る挿通孔６１を形成している。
【００３７】
従って、悪意を有する者がキーシリンダ２７に工具を差し込んで連結ロッド２９が折損したのち、整備工場等において折損した連結ロッド２９の係合部３３を除去する場合において、前記挿通孔６１に針金や工具等を挿入することにより、前記折損した連結ロッド２９の係合部３３を簡単に取り除くことができる。
【００３８】
ところで、本発明に係る車体構造は、前記第１及び第２実施形態に例をとって説明したが、これら実施形態に限ることなく本発明の要旨を逸脱しない範囲で他の実施形態を各種採用することができる。
【図面の簡単な説明】
【００３９】
【図１】本発明の第１実施形態における車両用ドアのロック構造を示す概略図である。
【図２】図１のドアロック装置を拡大した断面図である。
【図３】連結ロッドに荷重が入力された場合におけるドアロック装置を示す断面図である。
【図４】本発明の第２実施形態におけるドアロック装置の要部を拡大した断面図である。
【符号の説明】
【００４０】
９…ケーシング
２７…キーシリンダ
２９…連結ロッド
３３…係合部
３５…脆弱部
３７…フランジ
４１…回動部材
５７…折り返し部（係合保持部）
６１…挿通孔
６３…収容凹部
【図１】
2008240451.tif 000003
【図２】
2008240451.tif 000004
【図３】
2008240451.tif 000005
【図４】
2008240451.tif 000006